(57)【特許請求の範囲】
【請求項１】
ボードと、表面材及び裏面材との組合せを有する天井化粧パネルであって、
ボードは、合成樹脂発泡体であり、角形の板状に加工され、保持縁を有し、
保持縁は、天井から吊り下げられた吊金具を支える面であり、ボードの四周縁に相尺り加工によって形成され、
表面材及び裏面材は、天井化粧パネルの面材としてそれぞれボードの表面及び裏面に張付けられ、ボードの反りを防止し、いずれもアルミ箔と紙層とプラスチック層の積層であり、
アルミ箔は、面材としての反りを防止する芯材であり、
紙層は、面材の剛性を出すものであり、アルミ箔の両面に積層され、
プラスチック層は、紙層の表面を覆うものであり、表面材の意匠は、一方の紙層の表面に印刷され、プラスチック層を通して外部から透視されるものであることを特徴とする天井化粧パネル。
【請求項２】
表面材の意匠は、石膏ボードの表面に似せて白地の各所に分散させて不規則な小孔の模様を形成したものであることを特徴とする請求項１に記載の天井化粧パネル。
【請求項３】
表面材に付された意匠表面は、透明なプラスチック層で覆われていることを特徴とする請求項１又は２のいずれか１つに記載の天井化粧パネル。
【発明の詳細な説明】
【０００１】
【発明の属する技術分野】
本発明は、工事現場事務所、被災地仮設住宅、イベント会場など一時的に使用される建物の天井化粧パネルに関する。
【０００２】
【従来の技術】
上記建物の殆どの天井化粧パネルには従来より主として石膏ボードが使用されてきた。天井化粧パネルは、木造下地、あるいは鋼製下地に施工されるものであり、木造下地の場合には、格子組みされた角材に、石膏ボードを釘打ちにて張上げられ、また、鋼製下地の場合には、野縁バーを下地組みにし、これに石膏ボードをビスにて突付け張りされる。もっとも、仮設住宅のような一時的に使用される殆どの建物は軽量鉄筋の住宅であり、天井化粧パネルは鋼製下地にビス止めされるのが通例である。
【０００３】
【発明が解決しようとする課題】
このように、天井化粧パネルに石膏ボードを用いて天井の施工を行うときには、下地材に貼付けられるパネル毎にビス止め（あるいは釘止め）を行わなければならない。特に、石膏ボードは重量が大きいため、重量の制約を受けてパネルの大形化には制限があり、小面積の数多くのパネルに区分してパネル毎に張付けなければならない。したがって、パネルの張付けには長時間を必要とする。更に、石膏ボードは、もろく、わずかの衝撃を受けて破損しやすいという欠点がある。
【０００４】
しかも、一度建物に使用された天井化粧パネルを再使用をしようとして建物の解体の際に、丁寧に扱って下地材から丁寧にビスを外しても、石膏ボードにはビス取付け用の孔が残り、また、割れ、欠け、ひび割れが生じやすく、たとえ隅の一部に欠けが生じても商品価値がなくなって再使用ができず、そのうえ、石膏ボードは、表面に不規則にあけられた多数の小孔の形状、模様を化粧面として利用するものであるため、表面が汚れたときには修復することができない。このような理由から天井化粧パネルに石膏ボードを用いた時には結局はすべて廃材として廃棄処分をしなければならず、廃棄処理のうえにも大きな負担になっていた。
【０００５】
本発明の目的は、施工が容易であり、しかも再利用が可能な仮設用の天井化粧パネルを提供することにある。
【０００６】
【課題を解決するための手段】
上記目的を達成するため、本発明による天井化粧板パネルにおいては、ボードと、表面材及び裏面材との組合せを有する天井化粧パネルであって、
ボードは、合成樹脂発泡体であり、角形の板状に加工され、保持縁を有し、
保持縁は、天井から吊り下げられた吊金具を支える面であり、ボードの四周縁に相尺り加工によって形成され、
表面材及び裏面材は、天井化粧パネルの面材としてそれぞれボードの表面及び裏面に張付けられ、ボードの反りを防止し、いずれもアルミ箔と紙層とプラスチック層の積層であり、
アルミ箔は、面材としての反りを防止する芯材であり、
紙層は、面材の剛性を出すものであり、アルミ箔の両面に積層され、
プラスチック層は、紙層の表面を覆うものであり、表面材の意匠は、一方の紙層の表面に印刷され、プラスチック層を通して外部から透視されるものである。
【０００８】
また、表面材の意匠は、石膏ボードの表面に似せて白地の各所に分散させて不規則な小孔の模様を形成したものである。
【０００９】
また、表面材に付された意匠表面は、透明なプラスチック層で覆われているものである。
【００１１】
【発明の実施の形態】
以下に本発明による天井化粧パネルの一実施形態を図によって説明する。図１において、本発明の天井化粧パネルは、ボード１と、その面材である表面材２及び裏面材３との組合せを有するものである。
【００１２】
ボード１は、パネルの芯材であり、角型の平板をなし、天井の表面側となる一面（下面）の四周には相尺り加工による保持縁１ａが形成されている。本発明において、ボード１の材質は、合成樹脂発泡体、例えば難燃性のポリイソシアネートフォーム、硬質ポリウレタンフォーム，ポリスチレンフォームなどを用いている。
【００１３】
表面材２及び裏面材３は面材であり、ボード１の表面及び裏面に張付けられたものである。本発明において、表面材２及び裏面材３には同じ材質のものを用いているが、建物の天井の意匠として表面材２には任意の模様が印刷される。
【００１４】
図２に、表面材２の構成を示す。この構成は裏面材３にもそのままあてはまる。図２において、表面材２は、外面側プラスチック層４と、紙層５と、アルミ箔６と、紙層７と、内面側プラスチック層８との積層である。つまり、アルミ箔６を芯材とし、これを挾んでその両面に紙層５，７と、プラスチック層４，８とを積層した５層の積層であり、紙層５又は７とアルミ箔６との間は接着剤としてのポリエチレン樹脂で接着され、また、この実施形態においては、外面側及び内面側プラスチック層４，８にポリエチレンを用いてそれぞれ積層５又は７に接着されている。
【００１５】
外面側プラスチック層４は、紙層５の表面を覆って汚れの付着を防止するものである。その厚さは、１５μｍ〜１００μｍ、好ましくは３０μｍ〜６０μｍである。外面側プラスチック層４に被覆される紙層５は、天井板として任意の模様２ａが印刷される。本発明においては石膏ボードの表面形状並び模様に似せて白地の各所に不規則な形状の小孔の模様２ａを暗色で表現して印刷している。表面材２の外面側プラスチック層４には、紙層５の模様２ａを透視させるために透明層を用いている。
【００１６】
紙層５には、模様の印刷に適したさらしクラフト、炭カル紙、水酸化アルミ紙など白色の紙（５０ｇ／ｍ2〜２００ｇ／ｍ2）を使用できる。アルミ箔６は、面材としての反りを防止するため芯材であり、厚さ７μｍ〜３０μｍ好ましくは１２μｍ〜２０μｍの厚さの箔を用いる。紙層７は、面材としての剛性を確保させるためのものであり、５０〜３００ｇ／ｍ2の厚みのものを用いるが、特にその材質は限定されるものではない。
【００１７】
内面側のプラスチック層８は、実質的には接着のための層で、合成樹脂発泡体原液の浸透、接着剤の浸透を防止するものであり、層にポリエチレンを用いてボード１の一面（下面）に張付けられる。裏面材３は、表面材２と同じ材質の積層であり、ボード１の他面（上面）に張付けられて人目に触れないために意匠の印刷は必要ではなく、また、印刷面を透視する必要がないため、内面側のプラスチック層８は、透明である必要もない。
【００１８】
本発明の天井化粧パネル９は、図３に示すように建物の天井１０から吊下げられた吊り金具１１にパネル９の保持縁１ａを支えて、いわゆる落し込み天井として施工される。
【００１９】
本発明による天井化粧パネルは、ボード１とその面材である表面材２と裏面材３との組合せによって構成され、ボード１が合成樹脂発泡体のため、軽量であり、具体的には９００×１８００ｍｍのサイズで重量を１ｋｇ程度に抑えることができ、表面材２の意匠に石膏ボード調の意匠を印刷することにより、天井の意匠として石膏ボードの意匠を見慣れた人にとっても違和感を感じさせることがなく、意匠面はプラスチック層で覆われるため、汚れが付着しにくく、また、汚れたときには容易に拭い取ることができる。
【００２０】
また、表面材２及び裏面材３に同じ材質の積層を用い、しかも、表面材２、裏面材３の積層に材質の異なる２以上の層例えば、アルミ箔６の両面に紙層５，７を積層し、さらにその両面にプラスチック層４，８を積層してアルミ箔両面の反りをバランスさせ、面材として反りが生じないように積層構造を選定しているため、表面材２及び裏面材３自体の反りが小さく、したがって、ボードの面積を大きくしても殆ど反りを目立たせることがない。
【００２１】
【発明の効果】
以上のように本発明によるときには、軽量で施工が容易であり、汚れの付着が防止され、また表面に汚れが付着したときには容易に払拭でき、また、パネルに孔をあけることなく施工するため、ねじ孔や釘孔が開口されず、表面の一部が破損しても表面材又は裏面材をさらに重ね張りすることによって容易に補修することができる。
【００２２】
本発明の天井化粧パネルは、工事事務所、被災地の仮設住宅、イベント会場など一時的に使用される建物の天井化粧パネルに好適であり、使用によって破損せず、建物の解体後、そのまま再使用が可能であり、必要に応じて修正、補修を加えることによって、繰り返し利用することができ、廃材を出さず、ひいては省資源化にも大きく貢献できる効果を有するものである。
【図面の簡単な説明】
【図１】（ａ）は本発明の一実施形態を示す斜視図、（ｂ）は（ａ）のＢ−Ｂ線断面図である。
【図２】表面材の積層構造を示す図である。
【図３】天井化粧パネルの施工例を示す図である。
【符号の説明】
１  ボード
１ａ  保持縁
２  表面材
２ａ  模様
３  裏面材
４  外面側プラスチック層
５  紙層
６  アルミ箔
７  紙層
８  内面側プラスチック層
９  パネル
１０  天井
１１  吊り金具
【図１】
0003896677.tif 000002
【図２】
0003896677.tif 000003
【図３】
0003896677.tif 000004